(57)【要約】一端に第１端子部が備えられ、他端にケーブルが接続される本体部と、前記第１端子部に接続される第２端子部を一端に備え、電子機器と接続される第３端子部を他端に備える接続部とを含み、前記本体部と前記接続部とは、磁石によって着脱可能に結合されることを特徴とする充電装置が開示される。
2021526005.tif 000002
【特許請求の範囲】
【請求項１】
一端に第１端子部が備えられ、他端にケーブルが接続されている本体部と、
前記第１端子部に接続される第２端子部を一端に備え、電子機器と接続される第３端子部を他端に備える接続部と、を含み、
前記本体部と前記接続部とは、磁石によって着脱可能に結合されることを特徴とする充電装置。
【請求項２】
前記磁石は、前記本体部及び前記接続部のうち少なくとも一方に備えられていることを特徴とする請求項１記載の充電装置。
【請求項３】
前記第１端子部は、
ハウジングと、
前記ハウジングに収容される複数対の端子と、を含み、
各対の端子は、二つの端子が互いに対向するように位置しており、
前記二つの端子の一端には、それぞれ第１把持部及び第２把持部が形成されることを特徴とする請求項２記載の充電装置。
【請求項４】
前記第１把持部と前記第２把持部は、所定の位置までは互いに向かって近づいて行って所定の位置を通り過ぎると、互いから離れていくように折り曲げられていることを特徴とする請求項３記載の充電装置。
【請求項５】
前記ハウジングは、
前記複数対の端子が収容される収容部と、
前記収容部から見て下方に、段部が設けられていて、前記収容部の外側へと延びて形成されている延長部と、を含むことを特徴とする請求項３記載の充電装置。
【請求項６】
前記収容部は、複数の領域に区分されており、
各領域には、前記各対の端子が収容されることを特徴とする請求項５記載の充電装置。
【請求項７】
前記本体部は、
前記ハウジングの前記延長部上に位置する据付部をさらに含むことを特徴とする請求項５記載の充電装置。
【請求項８】
前記据付部に前記磁石が備えられていることを特徴とする請求項７記載の充電装置。
【請求項９】
前記接続部は、
前記第２端子部から離隔し、前記第２端子部の周方向に形成されている嵌合部をさらに含むことを特徴とする請求項５記載の充電装置。
【請求項１０】
前記嵌合部に前記磁石が備えられていることを特徴とする請求項９記載の充電装置。
【発明の詳細な説明】
【技術分野】
【０００１】
本発明は、充電装置に関するものであって、より詳細には、本体部内の複数対の端子がハウジング内に配列した状態で製造された後、前記ハウジングと共に充電装置内に組み込まれるので、製造工程が容易で、且つ生産原価が下がり、端子の第１把持部と第２把持部の屈曲した形による弾性力により、頻繁に抜き差しする際にも破損する確率を下げ、磁石を取り付けることで、本体部と接続部とを、容易に分離し結合することを可能にする充電装置に関する。
【背景技術】
【０００２】
従来の充電装置には、複数のポゴピン型の端子が設置されている。これらのポゴピン型の端子を備える充電装置は、個々のポゴピン型の端子を製造し、これを充電装置内に配列した後、組み立てなければならないという煩雑さがあり、こうした複雑な過程によって生産原価が上昇するという問題がある。
【０００３】
また、充電装置内に配列される複数のポゴピン型の端子のうち、１つでも不良が発生したら、その端子のみを差し替えるということはできず、複数のポゴピン型の端子全部を差し替えなければならないという不便さがある。
【０００４】
また、ポゴピン型の端子は、一の字状なので頻繁に抜き差しする際、破損率が高くなり、耐久性が低いという問題がある。
【０００５】
また、ポゴピン型の端子と接続端子の接触部位にほこりが溜まった場合に、スパークが発生し、湿気を帯びた場合に、サビなどの問題があり、発熱により充電装置が焦げてしまうという問題が発生する。
【発明の概要】
【発明が解決しようとする課題】
【０００６】
本発明は、前記のような問題点を解決すべく見出されたものであり、本発明の目的は、本体部内の複数対の端子がハウジング内に配列した状態で製造された後、前記ハウジングと共に充電装置内に組み込まれるので、製造工程が容易で、且つ生産原価が下がり、端子の第１把持部と第２把持部の屈曲した形による弾性力により、頻繁に抜き差しする際にも破損する確率を下げるばかりでなく、本体部の取り外しを容易にする充電装置を提供する。
【０００７】
また、本発明のもう一つの目的は、磁石を取り付けることで本体部と接続部を容易に分離し、結合させることを可能にし、使用の利便性を図る充電装置を提供する。
【課題を解決するための手段】
【０００８】
前記目的を達成するための本発明に係る充電装置は、(1)一端に第１端子部が備えられ、他端にケーブルが接続されている本体部、及び、(2)前記第１端子部に接続される第２端子部を一端に備え、電子機器と接続される第３端子部を他端に備える接続部を含み、前記本体部及び前記接続部は、磁石によって着脱可能に結合されることを特徴とする。
【０００９】
前記磁石は、前記本体部及び前記接続部のうち少なくとも一方に備えられうる。
【００１０】
前記第１端子部は、ハウジング及び前記ハウジングに収容される複数対の端子を含み、各対の端子は、二つの端子が互いに対向するように配置されており、前記二つの端子のそれぞれの一端には、第１把持部及び第２把持部が形成されうる。
【００１１】
前記第１把持部と前記第２把持部とは、所定の位置までは互いに向かって近づいて行って、所定の位置を通り過ぎると、互いから離れていくように折り曲げられていることが好ましい。
【００１２】
前記ハウジングは、前記複数対の端子が収容される収容部と、前記収容部から下方に、段差が付けられており、前記収容部の外側へと延びて形成されている延長部とを含むことができる。
【００１３】
前記収容部は、複数の領域に区分されており、各領域には、前記各対の端子が収容されうる。
【００１４】
前記本体部は、前記ハウジングの前記延長部上に位置する据付部をさらに含むことができる。
【００１５】
前記据付部に前記磁石が設けられることが好ましい。
【００１６】
前記接続部は、前記第２端子部から離隔し、前記第２端子部の周方向に形成されている嵌合部をさらに含むことができる。
【００１７】
前記嵌合部に前記磁石が備えられうる。
【発明の効果】
【００１８】
本発明によれば、本体部内の複数対の端子がハウジング内に配列した状態で製造された後、前記ハウジングと共に充電装置内に組み込まれるので、製造工程が容易で、且つ生産原価が下がる利点がある。
【００１９】
また、本体部内の複数の端子の第１把持部と第２把持部の所定の位置までは互いに向かって近づいて行って所定の位置を通り過ぎると、互いから離れていくように折り曲げられている状態にあり、このような状態の複数の端子内に接続部の第２端子部が嵌合されているので、本体部を接続部から取り外す際、どの方向から力が加えられても、第１把持部と第２把持部の弾性力により、本体部の取り外しが容易であるとうい利点がある。
【００２０】
また、第１把持部と第２把持部の屈曲した形態による弾性力は、本体部と接続部の頻繁な抜き差しにも、その破損する確率を下げる利点がある。
【００２１】
また、本体部と接続部の磁石による着脱可能な結合は、本体部と接続部の容易な分離と容易な結合を可能にし、使用の利便性を図る。
【図面の簡単な説明】
【００２２】
【図１】本発明の一実施例による充電装置を概略的に示すものである。
【図２】図１の充電装置が分離されている状態を概略的に示すものである。
【図３】本発明の一実施例による充電装置の本体部を概略的に示すものである。
【図４】本発明の一実施例による充電装置の本体部内の端子が基板に連結されている状態を概略的に示すものである。
【図５】図４の端子の側断面図を概略的に示すものである。
【図６】本発明の一実施例による充電装置の本体部内のハウジングを概略的に示すものである。
【図７】本発明の一実施例による充電装置の本体部を拡大して示すものである。
【図８】本発明の一実施例による充電装置の本体部内のハウジングに据付部が結合されている状態を概略的に示すものである。
【図９】本発明の一実施例による充電装置の接続部を概略的に示すものである。
【発明を実施するための形態】
【００２３】
本明細書にて用いられる技術用語は、単に特定の実施例を説明するために使用されたものであって、本発明を限定する意図はないという点、留意すべきである。また、本明細書にて用いられる技術用語は、本明細書において特に断りがない限り、本発明が属する技術分野における通常の知識を有する者によって一般的に理解される意味に解釈されるべきであり、過度に包括的な意味に解釈されたり、過度に縮小された意味に解釈されたりしてはならない。また、本明細書にて用いられる技術用語が、本発明の思想を正確に表現されない誤った技術用語であるときには、当業者が正しく理解することができる技術用語に置き換えて理解するべきである。
【００２４】
また、本発明にて用いられる一般的な用語は、辞書に定義されているところにより、または前後の文脈に沿って解釈されるべきであり、過度に縮小された意味に解釈されてはならない。
【００２５】
また、本明細書にて用いられる単数の表現は、文脈上明らかに別のことを意味しない限り、複数の表現を含む。本出願では、「構成される」または「含む」などの用語は、明細書上に記載された多様な構成要素等、またはいくつかの段階を必ずしも全部含むものとして解釈されてはならず、そのうちの一部の構成要素またはいくつかの段階は、含まれないこともあり、または追加の構成要素または段階をさらに含むことができるものと解釈されるべきである。
【００２６】
以下、実施例を挙げて本発明をより具体的に見ていくが、下記の例に本発明の範疇が限定されるものではない。
【００２７】
図１は、本発明の一実施例による充電装置を概略的に示すものである。図２は、図１の充電装置が分離されている状態を概略的に示すものである。
【００２８】
図１及び２を参照すれば、本発明に係る充電装置１０００は、本体部１００及び接続部２００を含む。
【００２９】
充電時には、本体部１００と接続部２００が結合された状態に保持され、非充電時には、本体部１００と接続部２００が分離されうる。
【００３０】
具体的には、充電時には磁力によって本体部１００と接続部２００が結合されており、前記磁力を超える外力が加わると、本体部１００と接続部２００は、分離されうる。すなわち、本発明に係る充電装置１０００の本体部１００と接続部２００は、磁石によって着脱可能に結合されうる。
＜発明の実施のための形態＞
【００３１】
図３は、本発明の一実施例による充電装置の本体部を概略的に示すものである。図４は、本発明の一実施例による充電装置の本体部内の端子が基板に接続されている状態を概略的に示すものである。図５は、図４の端子の側断面図を概略的に示すものである。
【００３２】
図３〜５を参照すれば、本発明の一実施例による充電装置の本体部１００は、一端に第１端子部１１０が備えられており、他端にケーブル（Ｃ）が接続されている。
【００３３】
前記第１端子部１１０は、ハウジング１１２及び前記ハウジング１１２に収容される複数対の端子１１４を含む。
【００３４】
ここで、各対の端子は、第１端子１１４ａと第２端子１１４ｂとが互いに対向するように位置している。
【００３５】
第１端子１１４ａ及び第２端子１１４ｂの一端には、それぞれ、第１把持部１１４ａａ及び第２把持部１１４ｂｂが形成されている。
【００３６】
前記第１把持部１１４ａａ及び前記第２把持部１１４ｂｂは、所定の位置まで互いに向かって近づいて行って所定の位置を通り過ぎると、互いから離れていくように折り曲げられている形態である。
【００３７】
このような屈曲した形状は、弾性力を誘発し、後述する第２端子部（図９、２１０）との接続と分離を容易にし、頻繁な抜き差しにも破損率を下げるという効果の達成を図る。
【００３８】
図６は、本発明の一実施例による充電装置の本体部内のハウジングを概略的に示すものである。
【００３９】
図３及び６を参照すれば、本発明の一実施例による充電装置の本体部内のハウジング１１２は、収容部１１２ａ及び延長部１１２ｂを含む。
【００４０】
前記収容部１１２ａは、前記複数対の端子１１４が収容されるように、複数の領域１１２ａａ、１１２ａｂ、１１２ａｃ、１１２ａｄに区分されている。各領域１１２ａａ、１１２ａｂ、１１２ａｃ、１１２ａｄには、各対の端子である第１端子１１４ａと第２端子１１４ｂが収容されている。
【００４１】
前記延長部１１２ｂには、前記収容部１１２ａから見て下方に、段部が設けられていて、前記収容部１１２ａの外側へと延びて形成されている。
【００４２】
本発明によれば、前記複数対の端子１１４が、充電装置内に個別に配列された後に組み込まれるというのではなく、前記ハウジング１１２内に配列した状態で製造された後、前記ハウジング１１２と共に充電装置内に組み込まれるという形態である。したがって、製造工程が容易で、且つ生産原価を下げるという効果を図る。
【００４３】
図７は、本発明の一実施例による充電装置の本体部を拡大して示すものである。図８は、本発明の一実施例による充電装置の本体部内のハウジングに据付部が結合されている状態を概略的に示すものである。
【００４４】
図７及び８を参照すれば、本発明の一実施例による充電装置の本体部１１０は、ハウジング１１２の延長部１１２ｂ上に位置する据付部１２０をさらに含むことができる。
【００４５】
さらに具体的に説明すれば、前記据付部１２０は、前記ハウジング１１２の収容部１１２ａを囲む形態で、前記延長部１１２ｂ上に位置している。前記据付部１２０には、貫通部が備えられているので、前記貫通部を通して前記収容部１１２ａの一部が外部へと突出している。
【００４６】
また、前記据付部１２０内には、磁石（Ｍ）が備えられている。前記磁石（Ｍ）は、後述する接続部（図９、２００参照）との着脱可能な結合を可能にする。
【００４７】
図９は、本発明の一実施例による充電装置の接続部を概略的に示すものである。
【００４８】
図９を参照すれば、本発明の一実施例による充電装置の接続部２００は、第２端子部２１０及び第３端子部２２０を含む。
【００４９】
前記第２端子部２１０は、前記接続部２００の一端に備えられており、充電時、上述した第１端子部（図３、１１０）に接続される。
【００５０】
前記第３端子部２２０は、前記接続部２００の他端に備えられており、充電が必要とされる電子機器と接続される。
【００５１】
前記接続部２００は、嵌合部２３０をさらに含むことができる。
【００５２】
前記嵌合部２３０は、前記第２端子部２１０から離隔し、前記第２端子部２１０の周方向に備えられている。
【００５３】
前記嵌合部２３０内には、磁石（Ｍ）が備えられている。前記磁石（Ｍ）は、上述した本体部１００の第１端子部（図３、１１０参照）と着脱可能な結合を可能にする。
【００５４】
本実施例では、磁石（Ｍ）が、前記本体部１００の前記据付部１２０と、前記接続部２００の前記嵌合部２３０の全部に備えられている形態であるが、代替案となる他の実施例では、前記本体部１００及び前記接続部２００のいずれかに備えられうる。
【００５５】
このように、本発明に係る充電装置には、磁石が備えられているので、本体部と接続部の着脱可能な結合が可能であり、これにより、使用の利便性を向上させる効果を図る。
【００５６】
本発明に係る充電装置の使用動作を説明すると、次の通りである。
【００５７】
電子機器の充電時、本発明に係る充電装置の本体部１００と接続部２００は、磁力によって結合される。
【００５８】
より具体的に説明すれば、接続部２００の嵌合部２３０が本体部１００の空間（Ｓ、図７）内に入って、本体部１００の据付部１２０と接触した状態で結合される。
【００５９】
この際、接続部２００の第２端子部２１０は、本体部１００の第１端子部１１０、より具体的には、複数対の端子１１４における第１把持部１１４ａａと第２把持部１１４ｂｂとの間に挟まれて通電するようになる。
【００６０】
電子機器の非充電時、例えば、外部から電話が入り、充電を中止しなければならない場合には、磁力による力よりも強い力で本体部１００を接続部２００から分離すればよい。ここで、前記の強い力は、本体部１００に対して、様々な方向から加えられうるが、この強い力がどの方向から加えられても、第１把持部１１４ａａ及び第２把持部１１４ｂｂの屈曲した形態による弾性力により、本体部１００の分離は容易であり、且つ頻繁に抜き差しをしても、接続部分が破損する確率が低いという利点がある。
【００６１】
以上、本発明の特定の好ましい実施例に関して説明したが、本発明は、上述した特定の実施例に限定されず、特許請求の範囲で請求する本発明の要旨を逸脱することなく、当該本発明が属する技術分野における通常の知識を有する者であれば、何人も多様な変形が実施可能であることはもちろんであり、そのような変形は、請求の範囲に記載の範囲内にある。
【符号の説明】
【００６２】
１００：本体部
１１０：第１端子部
１１２：ハウジング
１１２ａ：収容部
１１２ａａ：第１領域
１１２ａｂ：第２領域
１１２ａｃ：第３領域
１１２ａｄ：第４領域
１１２ｂ：延長部
１１４：端子
１１４ａ：第１端子
１１４ａａ：第１把持部
１１４ｂ：第２端子
１１４ｂｂ：第２把持部
１２０：据付部
１２２：開口部
２００：接続部
２１０：第２端子部
２２０：第３端子部
２３０：嵌合部
Ｍ：磁石
【産業上の利用可能性】
【００６３】
本発明は、充電のための装置であって、本体部内の複数対の端子がハウジング内に配列した状態で製造された後、前記ハウジングと共に充電装置内に組み込まれるので、製造工程が容易で、且つ生産原価が下がり、端子の第１把持部と第２把持部の屈曲した形態による弾性力により、頻繁に抜き差しする際にも破損の確率を下げ、磁石を取り付けることで本体部と接続部とを容易に分離し、結合可能にする充電装置として用いることができる。
【図１】
2021526005.tif 000003
【図２】
2021526005.tif 000004
【図３】
2021526005.tif 000005
【図４】
2021526005.tif 000006
【図５】
2021526005.tif 000007
【図６】
2021526005.tif 000008
【図７】
2021526005.tif 000009
【図８】
2021526005.tif 000010
【図９（ａ）】
2021526005.tif 000011
【図９（ｂ）】
2021526005.tif 000012
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
一端に第１端子部が備えられ、他端にケーブルが接続されている本体部と、
前記第１端子部に接続される第２端子部を一端に備え、電子機器と接続される第３端子部を他端に備える接続部と、を含み、
前記本体部と前記接続部とは、磁石によって着脱可能に結合されており、
前記第１端子部は、
ハウジングと、
前記ハウジングに収容される複数対の端子と、を含み、
各対の端子は、第１端子と第２端子とが互いに対向するように位置しており、
前記第１端子及び前記第２端子は、それぞれ、外側へと凸の形状の第１ボディ部及び第２ボディ部を備えており、また、前記第１ボディ部及び前記第２ボディ部のそれぞれから延長されて形成されていて、所定の位置まで互いに向かって近づいて行って所定の位置を通り過ぎると、互いから離れていくように折り曲げられている第１把持部１及び第２把持部を備えており、
相互に接触していた前記第１端子部と前記第２端子部とが引き離される際に、上下方向に引き離す力が加えられても、前記第２端子部と、前記第１端子部の前記第１ボディ部及び前記第２ボディ部とが相互に接触することなく引き離され、前記第２端子部の破損が防止されていることを特徴とする充電装置。
【請求項２】
前記磁石は、前記本体部及び前記接続部のうち少なくとも一方に備えられていることを特徴とする請求項１記載の充電装置。
【請求項３】
前記ハウジングは、
前記複数対の端子が収容される収容部と、
前記収容部から見て下方に、段部が設けられていて、前記収容部の外側へと延びて形成されている延長部と、を含むことを特徴とする請求項１記載の充電装置。
【請求項４】
前記収容部は、複数の領域に区分されており、
各領域には、前記各対の端子が収容されることを特徴とする請求項３記載の充電装置。
【請求項５】
前記本体部は、
前記ハウジングの前記延長部上に位置する据付部をさらに含むことを特徴とする請求項３記載の充電装置。
【請求項６】
前記据付部に前記磁石が備えられていることを特徴とする請求項５記載の充電装置。
【請求項７】
前記接続部は、
前記第２端子部から離隔し、前記第２端子部の周方向に形成されている嵌合部をさらに含むことを特徴とする請求項３記載の充電装置。
【請求項８】
前記嵌合部に前記磁石が備えられていることを特徴とする請求項７記載の充電装置。
【国際調査報告】
2021526005.tif 000013
2021526005.tif 000014
2021526005.tif 000015
2021526005.tif 000016